(57)【要約】【課題】  設置スペースが小さく、配線構成が容易で、経済的なＷＤＭ伝送システムを提供すること。【解決手段】  収容局に接続された１本の光ファイバ５７を用いて波長の異なる複数の光信号を送受信する光送受信装置５０において、ＷＤＭフィルタモジュール５６は、光ファイバ５７と接続する共通用ポートの光コネクタ６３と、光送受信装置５０の光コネクタ５５と勘合する光送受信装置用の光コネクタ６１と、他の光送受信装置が用いる波長の異なる複数の光信号を１本の光ファイバを用いて入出力する入出力用ポートの光コネクタ６４と、光送受信装置５０が用いる光信号及び他の光送受信装置が用いる複数の光信号と、収容局と送受信する複数の光信号との間で合分波を行うＷＤＭ部６２とを備えた。【選択図】  図５
2005078036.tif 000002
【特許請求の範囲】
【請求項１】
収容局に接続された１本の光ファイバを用いて波長の異なる複数の光信号を送受信する光送受信装置におけるＷＤＭフィルタモジュールにおいて、
前記収容局に接続された１本の光ファイバと接続する共通用ポートの光コネクタと、
前記光送受信装置の光コネクタと勘合する光送受信装置用の光コネクタと、
他の光送受信装置が用いる波長の異なる複数の光信号を１本の光ファイバを用いて入出力する入出力用ポートの光コネクタと、
前記光送受信装置が用いる光信号及び前記他の光送受信装置が用いる複数の光信号と、前記収容局と送受信する複数の光信号との間で合分波を行うＷＤＭ部と
を備えたことを特徴とするＷＤＭフィルタモジュール。
【請求項２】
収容局に接続された１本の光ファイバを用いて波長の異なる複数の光信号を送受信する光送受信装置におけるＷＤＭフィルタモジュールにおいて、
前記収容局に接続された１本の光ファイバと接続する共通用ポートの光コネクタと、
前記光送受信装置の光コネクタと勘合する光送受信装置用の光コネクタと、
他の光送受信装置が用いる波長の異なる複数の光信号を入出力するために、波長ごとに１本の光コネクタ付き単心コードと、
前記光送受信装置が用いる光信号及び前記他の光送受信装置が用いる複数の光信号と、前記収容局と送受信する複数の光信号との間で合分波を行うＷＤＭ部と
を備えたことを特徴とするＷＤＭフィルタモジュール。
【請求項３】
前記光送受信装置用の光コネクタが、前記光送受信装置の送信用及び受信用の２つの光コネクタからなることを特徴とする請求項１または２に記載のＷＤＭフィルタモジュール。
【請求項４】
収容局に接続された１本の光ファイバを用いて波長の異なる複数の光信号を送受信する光送受信装置に搭載される光トランシーバモジュールにおいて、
前記収容局に接続された１本の光ファイバと接続する共通用ポートの光コネクタと、
他の光送受信装置が用いる波長の異なる複数の光信号を１本の光ファイバを用いて入出力する入出力用ポートの光コネクタと、
送信器と受信器とを含む光トランシーバと、
該光トランシーバが用いる光信号及び前記他の光送受信装置が用いる複数の光信号と、前記収容局と送受信する複数の光信号との間で合分波を行うＷＤＭ部と
を備えたことを特徴とする光トランシーバモジュール。
【請求項５】
収容局に接続された１本の光ファイバを用いて波長の異なる複数の光信号を送受信する光送受信装置に搭載される光トランシーバモジュールおいて、
前記収容局に接続された１本の光ファイバと接続する共通用ポートの光コネクタと、
他の光送受信装置が用いる波長の異なる複数の光信号を入出力するために、波長ごとに１本の光コネクタ付き単心コードと、
送信器と受信器とを含む光トランシーバと、
該光トランシーバが用いる光信号及び前記他の光送受信装置が用いる複数の光信号と、前記収容局と送受信する複数の光信号との間で合分波を行うＷＤＭ部と
を備えたことを特徴とする光トランシーバモジュール。
【請求項６】
前記光送受信装置に搭載された光トランシーバモジュールにおいて、前記光送受信装置内部に着脱交換能なプラガブル構造を備えたことを特徴とする請求項４または請求項５に記載の光トランシーバモジュール。
【発明の詳細な説明】
【技術分野】
【０００１】
本発明は、ＷＤＭフィルタモジュール及び光トランシーバモジュールに関し、より詳細には、波長多重伝送システムにおいて複数の光送受信装置を収容することができるＷＤＭフィルタモジュール及びＷＤＭフィルタモジュールの機能を内蔵した光トランシーバモジュールに関する。
【背景技術】
【０００２】
従来、１本の光ファイバに波長の異なる複数の光信号を多重して伝送する波長分割多重伝送技術（以下、ＷＤＭ（Wavelength Division Multiplex）伝送技術という）が知られている。光加入者系伝送システムにおいては、波長の異なる上りの光信号と下りの光信号とを多重して１本の光ファイバで双方向伝送を実現している。また、ＷＤＭ−ＰＯＮ（Passive Optical Network）システムにおいては、波長の異なる複数の光信号を多重して、収容局と分岐装置との間で、複数の加入者を１本の光ファイバに収容している。
【０００３】
このような光加入者系伝送システムにおいては、光信号による大容量伝送を利用して、高速ＩＰ系サービス、多チャンネル映像系サービス等の多様なブロードバンドサービスを提供することができる。また、双方向の高速ＩＰ系サービスと映像系サービスとを同時に提供するなど、異なるプロトコルの複数のサービスを同時に提供することができる。
【０００４】
図１に、従来の１本の光ファイバで双方向伝送を行う光送受信装置を適用したＷＤＭ伝送システムの構成を示す。図１は、ＷＤＭ伝送システムにおける加入者側の光送受信装置１０であり、トランスポンダ、ＯＮＵ（Optical Network Unit）、メディアコンバータなどに相当する。１本の光ファイバで双方向伝送を行う光送受信装置１０と、複数の他の１心又は２心を用いた光送受信装置と収容局に接続された１本の光ファイバ１７とを接続するＷＤＭフィルタモジュール１６とが接続されている。
【０００５】
光送受信装置１０は、送信用の波長λ１及び受信用の波長λ２の２波を用いて、１本の光ファイバによりＷＤＭフィルタモジュール１６と接続されている。光送受信装置１０は、波長λ１の光信号を送信する光送信器（ＬＤ）１２と、波長λ２の光信号を受信する受信器（ＰＤ）１３と、波長λ１とλ２の光信号の合分波を行なう光カプラ（ＯＣ）１４と、ＷＤＭフィルタモジュール１６に接続された光ファイバを接続するための光コネクタ（雌型）１５を有している。
【０００６】
ＷＤＭフィルタモジュール１６は、１心又は２心を用いた光送受信装置１０の波長λ１の光信号及び波長λ２の光信号に加え、他の１心又は２心を用いた光送受信装置の光信号λ３…λｎの合分波を行なう。なお、波長λ１…λｎの光信号を、ＷＤＭフィルタモジュール１６にて一括で合分波を行なう構成と、複数のＷＤＭフィルタモジュールを用いて合分波を行う構成が考えられる。このような構成において、１心又は２心を用いた光送受信装置を追加する場合には、別のＷＤＭフィルタモジュールを追加し、光ファイバの接続替えを行なう場合がある。
【０００７】
図２に、従来の２本の光ファイバでそれぞれ片方向伝送を行う光送受信装置を適用したＷＤＭ伝送システムの構成を示す。２本の光ファイバで双方向伝送を行う光送受信装置２０と、複数の１心又は２心を用いた光送受信装置と収容局に接続された１本の光ファイバ２７とを接続するＷＤＭフィルタモジュール２６とが接続されている。
【０００８】
光送受信装置２０は、波長λ１の光信号を送信する光送信器（ＬＤ）２２と、波長λ２の光信号を受信する受信器（ＰＤ）２３と、ＷＤＭフィルタモジュール２６に接続された光ファイバを接続するための光コネクタ（雌型）２４，２５とを有している。ＷＤＭフィルタモジュール２６は、光送受信装置２０の波長λ１の光信号及び波長λ２の光信号に加え、他の１心又は２心を用いた光送受信装置の光信号λ３…λｎの合分波を行なう。なお、波長λ１…λｎの光信号を、ＷＤＭフィルタモジュール２６にて一括で合分波を行なう構成と、複数のＷＤＭフィルタモジュールを用いて合分波を行う構成が考えられる。このような構成において、１心又は２心を用いた光送受信装置を追加する場合には、別のＷＤＭフィルタモジュールを追加し、光ファイバの接続替えを行なう場合がある。
【０００９】
図３に、従来の１心の光ファイバを用いた双方向通信を行う光送受信装置を適用したＷＤＭ−ＰＯＮシステムの構成を示す。光送受信装置３０−１、３０−２…３０−ｎと、複数の光送受信装置と光スプリッタ３８から分岐された複数の光ファイバとを、それぞれ接続するＷＤＭフィルタモジュール３６−１、３６−２…３６−ｎとが接続されている。
【００１０】
光送受信装置３０−１、３０−２…３０−ｎのそれぞれの構成は、図１に示した光送受信装置１０と同じである。ＷＤＭフィルタモジュール３６−１、３６−２…３６−ｎは、光スプリッタ３８から分岐された光ファイバで送受信される全ての光信号λ１、λ２、λ３…λｎの中から、接続される光送受信装置に対応する光信号のみを合分波する。光スプリッタ３８は、収容局に接続された１本の光ファイバ３７で送受信される全ての光信号λ１、λ２、λ３…λｎを、複数の光ファイバに分岐する。
【００１１】
例えば、光送受信装置３０−１では、波長λ１の光信号を送信し、かつ波長λ２の光信号を受信し、対応するＷＤＭフィルタモジュール３６−１では、光送受信装置３０−１にて用いる波長λ１及びλ２光信号を合分波する。
【００１２】
図４に、従来の２心の光ファイバを用いて双方向通信を行う光送受信装置を適用したＷＤＭ−ＰＯＮシステムの構成を示す。光送受信装置４０−１、４０−２…４０−ｎと、複数の光送受信装置と光スプリッタ４８から分岐された複数の光ファイバとを、それぞれ接続するＷＤＭフィルタモジュール４６−１、４６−２…４６−ｎとが接続されている。
【００１３】
光送受信装置４０−１、４０−２…４０−ｎのそれぞれの構成は、図２に示した光送受信装置２０と同じである。ＷＤＭフィルタモジュール４６−１、４６−２…４６−ｎは、光スプリッタ４８から分岐された光ファイバで送受信される全ての光信号λ１、λ２、λ３…λｎの中から、接続される光送受信装置に対応する光信号のみを合分波する。光スプリッタ４８は、収容局に接続された１本の光ファイバ４７で送受信される全ての光信号λ１、λ２、λ３…λｎを、複数の光ファイバに分岐する。
【００１４】
例えば、光送受信装置４０−１では、波長λ１の光信号を送信し、かつ波長λ２の光信号を受信し、対応するＷＤＭフィルタモジュール４６−１では、光送受信装置４０−１にて用いる波長λ１及びλ２光信号を合分波する。
【発明の開示】
【発明が解決しようとする課題】
【００１５】
従来のＷＤＭ伝送システムまたはＷＤＭ−ＰＯＮシステムにおいては、光送受信装置または光トランシーバモジュールとＷＤＭフィルタモジュールが分離しているために、ＷＤＭフィルタモジュールを収納する別筐体のユニットまたはパッケージ・ケースを必要とする。また、光送受信装置または光トランシーバモジュールとＷＤＭフィルタモジュールとを接続する光ケーブルが必要であり、配線構成が煩雑となる。従って、ＷＤＭフィルタモジュールを設置するスペースの増大と、コスト高を招くという問題があった。さらに、光送受信装置または光トランシーバモジュールとＷＤＭフィルタモジュールとの間は、光コネクタの接続点が増加するのに伴って、線路損失が増加するという問題もあった。
【００１６】
ＷＤＭ伝送システムにおいては、ＷＤＭフィルタモジュールを新規に追加する場合、追加する波長数によっては、ＷＤＭフィルタモジュールが過剰な投資となってしまう可能性がある。また、光送受信装置または光トランシーバモジュールの光ファイバの接続替えを行なう場合には、サービスの中断が発生するという問題があった。
【００１７】
本発明は、このような問題に鑑みてなされたもので、その目的とするところは、設置スペースが小さく、配線構成が容易で、経済的な光送受信装置及びこれを構成するためのＷＤＭフィルタモジュール及びＷＤＭフィルタモジュール機能を内蔵した光トランシーバモジュールを提供することにある。
【課題を解決するための手段】
【００１８】
本発明は、このような目的を達成するために、請求項１に記載の発明は、収容局に接続された１本の光ファイバを用いて波長の異なる複数の光信号を送受信する光送受信装置におけるＷＤＭフィルタモジュールにおいて、前記収容局に接続された１本の光ファイバと接続する共通用ポートの光コネクタと、前記光送受信装置の光コネクタと勘合する光送受信装置用の光コネクタと、他の光送受信装置が用いる波長の異なる複数の光信号を１本の光ファイバを用いて入出力する入出力用ポートの光コネクタと、前記光送受信装置が用いる光信号及び前記他の光送受信装置が用いる複数の光信号と、前記収容局と送受信する複数の光信号との間で合分波を行うＷＤＭ部とを備えたことを特徴とする。
【００１９】
また、請求項２に記載の発明は、収容局に接続された１本の光ファイバを用いて波長の異なる複数の光信号を送受信する光送受信装置におけるＷＤＭフィルタモジュールにおいて、前記収容局に接続された１本の光ファイバと接続する共通用ポートの光コネクタと、前記光送受信装置の光コネクタと勘合する光送受信装置用の光コネクタと、他の光送受信装置が用いる波長の異なる複数の光信号を入出力するために、波長ごとに１本の光コネクタ付き単心コードと、前記光送受信装置が用いる光信号及び前記他の光送受信装置が用いる複数の光信号と、前記収容局と送受信する複数の光信号との間で合分波を行うＷＤＭ部とを備えたことを特徴とする。
【００２０】
また、請求項３に記載の発明は、請求項１または２に記載の発明において、前記光送受信装置用の光コネクタが、前記光送受信装置の送信用及び受信用の２つの光コネクタからなることを特徴とする。
【００２１】
また、請求項４に記載の発明は、収容局に接続された１本の光ファイバを用いて波長の異なる複数の光信号を送受信する光送受信装置に搭載される光トランシーバモジュールにおいて、前記収容局に接続された１本の光ファイバと接続する共通用ポートの光コネクタと、他の光送受信装置が用いる波長の異なる複数の光信号を１本の光ファイバを用いて入出力する入出力用ポートの光コネクタと、送信器と受信器とを含む光トランシーバと、該光トランシーバが用いる光信号及び前記他の光送受信装置が用いる複数の光信号と、前記収容局と送受信する複数の光信号との間で合分波を行うＷＤＭ部とを備えたことを特徴とする。
【００２２】
また、請求項５に記載の発明は、収容局に接続された１本の光ファイバを用いて波長の異なる複数の光信号を送受信する光送受信装置に搭載される光トランシーバモジュールおいて、前記収容局に接続された１本の光ファイバと接続する共通用ポートの光コネクタと、他の光送受信装置が用いる波長の異なる複数の光信号を入出力するために、波長ごとに１本の光コネクタ付き単心コードと、送信器と受信器とを含む光トランシーバと、該光トランシーバが用いる光信号及び前記他の光送受信装置が用いる複数の光信号と、前記収容局と送受信する複数の光信号との間で合分波を行うＷＤＭ部とを備えたことを特徴とする。
【００２３】
また、請求項６に記載の発明は、請求項４または５に記載の発明において、前記光送受信装置に搭載された光トランシーバモジュールにおいて、前記光送受信装置内部に着脱交換能なプラガブル構造を備えたことを特徴とする。
【発明の効果】
【００２４】
以上説明したように、本発明によれば、光送受信装置とＷＤＭフィルタモジュールがコネクタを介して直接接続すること、または光トランシーバモジュールとを一体化することにより、ＷＤＭフィルタモジュールを収納するためのユニットまたはパッケージ・ケースを必要とせず、光送受信装置とＷＤＭフィルタまたは光トランシーバモジュールとＷＤＭフィルタモジュールとを接続する光ケーブルも不要となる。従って、設置スペースを小さく、配線構成を容易にすることが可能となる。
【００２５】
また、本発明によれば、光コネクタの接続点を減らすことができるので、線路損失の増加を抑制することができる。
【００２６】
さらに、本発明によれば、予め光送受信装置または光トランシーバモジュールにＷＤＭフィルタモジュールを実装することにより、光送受信装置または光トランシーバモジュールの追加に伴う光ファイバの接続替えを行なう必要がなく、既存のサービスを中断しないで対応することができる。
【発明を実施するための最良の形態】
【００２７】
以下、図面を参照して本発明の実施形態を詳細に説明する。  
（第１の実施形態）
図５に、本発明の第１の実施形態にかかる１心双方向伝送の光送受信装置に対応するＷＤＭ伝送システムの構成を示す。図５は、ＷＤＭ伝送システムにおける加入者側の光送受信装置５０であり、トランスポンダ、ＯＮＵ、メディアコンバータなどに相当する。１心双方向伝送の光送受信装置５０は、複数の１心又は２心を用いた光送受信装置と収容局に接続された１本の光ファイバ５７とを接続するＷＤＭフィルタモジュール５６とが接続されている。光送受信装置５０は、波長λ１の光信号を送信する光送信器（ＬＤ）５２と、波長λ２の光信号を受信する受信器（ＰＤ）５３と、波長λ１とλ２の光信号の合分波を行なう光カプラ（ＯＣ）５４と、ＷＤＭフィルタモジュール５６の光送受信装置用の光コネクタ（雄型）６１と勘合する光コネクタ（雌型）５５とを有している。
【００２８】
ＷＤＭフィルタモジュール５６は、光送受信装置５０の波長λ１の光信号及び波長λ２の光信号に加え、他の１心又は２心を用いた光送受信装置の光信号λ３…λｎの合分波を行なうＷＤＭ部６２と、収容局に接続された１本の光ファイバ５７と接続する共通用ポートの光コネクタ（雌型）６３と、他の１心又は２心を用いた光送受信装置の入出力用ポートである光コネクタ（雌型）６４とを有している。
【００２９】
本実施形態では、ＰＬＣ技術等を用いて、ＷＤＭフィルタモジュールの小型・高密度実装を行う。具体的には、ＰＬＣ技術で構成されたＷＤＭ部６２の基板の一辺に光コネクタ６１を接続し、対向する辺に光コネクタ６３，６４を接続する。一体化されたＷＤＭ部６２の基板と光コネクタ６１，６３，６４とを１つの筐体に収容し、光コネクタ６１と光送受信装置５０は、光コネクタ５５とを直接勘合できるようにする。
【００３０】
このようにして、ＷＤＭフィルタモジュールを収納するためのユニットまたはパッケージ・ケースを必要とせず、光送受信装置または光トランシーバモジュールとＷＤＭフィルタモジュールとを接続する光ケーブルも不要となる。従って、必要な機能の最小ブロック化による過剰な設備投資を抑制し、経済的でシンプルなＷＤＭ伝送システムを構築することができる。また、光コネクタの接続点を減らすことができるので、線路損失の増加を抑制することができる。さらに、予め光送受信装置または光トランシーバモジュールにＷＤＭフィルタモジュールを実装することにより、光送受信装置または光トランシーバモジュールの追加に伴う光ファイバの接続替えを行なう必要がなく、既存のサービスを中断しないで対応することができる。
【００３１】
（第２の実施形態）
図６に、本発明の第２の実施形態にかかる２心双方伝送の光送受信装置に対応したＷＤＭフィルタモジュールの構成を示す。２心双方伝送の光送受信装置７０と、複数の他の１心又は２心を用いた光送受信装置と収容局に接続された１本の光ファイバ７７とを接続するＷＤＭフィルタモジュール７６とが接続されている。
【００３２】
光送受信装置７０は、波長λ１の光信号を送信する光送信器（ＬＤ）７２と、波長λ２の光信号を受信する受信器（ＰＤ）７３と、ＷＤＭフィルタモジュール７６の光送受信装置用の光コネクタ（雄型）８１，８２と勘合する光コネクタ（雌型）７４，７５とを有している。ＷＤＭフィルタモジュール７６は、光送受信装置７０の波長λ１の光信号及び波長λ２の光信号に加え、他の１心又は２心を用いた光送受信装置の光信号λ３…λｎの合分波を行なうＷＤＭ部８３と、収容局に接続された１本の光ファイバ７７と接続する共通用ポートの光コネクタ（雌型）８４と、他の１心又は２心を用いた光送受信装置用の入出力用ポートである光コネクタ（雌型）８５とを有している。
【００３３】
本実施形態では、ＰＬＣ技術等を用いて、ＷＤＭフィルタモジュールの小型・高密度実装を行い、光トランシーバモジュールの光コネクタ部分に接続可能とする。このようにして、第１の実施形態と同様に、必要な機能の最小ブロック化による過剰な設備投資を抑制し、経済的でシンプルなＷＤＭ伝送システムを構築することができる。
【００３４】
（第３の実施形態）
図７に、本発明の第３の実施形態にかかる１心双方向伝送の光送受信装置に対応したＷＤＭフィルタモジュールの構成を示す。１心双方向伝送の光送受信装置５０と、複数の他の１心又は２心を用いた光送受信装置と収容局に接続された１本の光ファイバ３７とを接続するＷＤＭフィルタモジュール９６とが接続されている。
【００３５】
ＷＤＭフィルタモジュール９６は、光送受信装置用５０の波長λ１の光信号及び波長λ２の光信号に加え、他の１心又は２心を用いた光送受信装置の光信号λ３…λｎの合分波を行なうＷＤＭ部９２と、光送受信装置用９０の光コネクタ（雌型）５５と勘合する光送受信装置用の光コネクタ（雄型）９１と、収容局に接続された１本の光ファイバ９７と接続する共通用ポートの光コネクタ（雌型）９３とを有している。さらに、他の１心又は２心を用いた光送受信装置の入出力用ポートとして、波長毎に１本の光コネクタ付き単心コード９４−１、９４−２…９４−ｎを備えている。
【００３６】
例えば、光ファイバ９７を介して８波長の送受信を行う場合、光送受信装置用５０で２波長を使用するので、残りの６波長の光信号は、光コネクタ付き単心コード９４−１、９４−２…９４−６を６本用意することで対応する。ＰＬＣ技術等を用いて、ＷＤＭフィルタモジュールの小型・高密度実装を行い、光送受信装置用の光コネクタ部分に接続可能とする。このようにして、第１の実施形態と同様に、必要な機能の最小ブロック化による過剰な設備投資を抑制し、経済的でシンプルなＷＤＭ伝送システムを構築することができる。
【００３７】
第１の実施形態におけるＷＤＭフィルタモジュール５６では、他の１心又は２心を用いた光送受信装置の入出力用ポートは、１つの光コネクタ６３である。従って、複数の波長の光信号を入出力する場合には、合分波を行うためのＷＤＭフィルタモジュールを別途設置する必要があった。第３の実施形態によれば、第１の実施形態で別途設置するＷＤＭフィルタモジュールを必要とせず、光送受信装置または光トランシーバモジュールとＷＤＭフィルタモジュールとを接続する光ケーブルも不要となる。従って、必要な機能の最小ブロック化による過剰な設備投資を抑制し、経済的でシンプルなＷＤＭ伝送システムを構築することができる。また、光コネクタの接続点を減らすことができるので、線路損失の増加を抑制することができる。さらに、予め光送受信装置または光トランシーバモジュールにＷＤＭフィルタモジュールを実装することにより、光送受信装置または光トランシーバモジュールの追加に伴う光ファイバの接続替えを行なう必要がなく、既存のサービスを中断しないで対応することができる。
【００３８】
（第４の実施形態）
図８に、本発明の第４の実施形態にかかる２心双方向伝送の光送受信装置に対応したＷＤＭフィルタモジュールの構成を示す。２心双方向伝送の光送受信装置７００と、複数の他の１心又は２心を用いた光送受信装置と収容局に接続された１本の光ファイバ１０７とを接続するＷＤＭフィルタモジュール１０６とが接続されている。
【００３９】
ＷＤＭフィルタモジュール１０６は、光送受信装置７０の波長λ１の光信号及び波長λ２の光信号に加え、他の１心又は２心を用いた光送受信装置の光信号λ３…λｎの合分波を行なうＷＤＭ部１０３と、光送受信装置７０の光コネクタ（雌型）７４，７５と勘合する光コネクタ（雄型）１０１，１０２と、収容局に接続された１本の光ファイバ１０７と接続する共通用ポートの光コネクタ（雌型）１０４とを有している。さらに、他の１心又は２心を用いた光送受信装置用の入出力用ポートとして、波長毎に１本の光コネクタ付き単心コード１０５−１、１０５−２…１０５−ｎを備えている。
【００４０】
例えば、光ファイバ１０７を介して８波長の送受信を行う場合、光送受信装置７０で２波長を使用するので、残りの６波長の光信号は、光コネクタ付き単心コード１０５−１、１０５−２…１０５−６を６本用意することで対応する。ＰＬＣ技術等を用いて、ＷＤＭフィルタモジュールの小型・高密度実装を行い、光送受信装置用の光コネクタ部分に接続可能とする。このようにして、第１の実施形態と同様に、必要な機能の最小ブロック化による過剰な設備投資を抑制し、経済的でシンプルなＷＤＭ伝送システムを構築することができる。
【００４１】
（第５の実施形態）
図９に、本発明の第５の実施形態にかかる光送受信装置に搭載される光トランシーバモジュール構成を示す。光トランシーバモジュール１１１は、光トランシーバ機能とＷＤＭフィルタモジュール機能とを、１つの筐体に収めている。光トランシーバモジュール１１１は、波長λ１の光信号を送信する光送信器（ＬＤ）１１２と、波長λ２の光信号を受信する受信器（ＰＤ）１１３と、波長λ１の光信号及び波長λ２の光信号に加え、他の光送受信装置の光信号λ３…λｎの合分波を行なうＷＤＭ部１１４と、収容局に接続された１本の光ファイバ１１７と接続する共通用ポートの光コネクタ（雌型）１１５と、他の光送受信装置の入出力用ポートである光コネクタ（雌型）１１６とを有している。
【００４２】
本実施形態では、ＰＬＣ技術等を用いて、ＷＤＭフィルタモジュールの小型・高密度実装を行い、光トランシーバモジュールとＷＤＭフィルタモジュールとを、１つの筐体に収めている。第１及び第２の実施形態では、光トランシーバ機能とＷＤＭフィルタモジュール機能とが、光コネクタを介して接続される構成であった。第５の実施形態の光トランシーバモジュールは、１つの筐体に収めることにより、部品の共通化及び小型化を一層すすめることで、経済的でシンプルなＷＤＭ伝送システムを構築することができる。また、光コネクタの接続点を減らすことができるので、線路損失の増加を抑制することができる。さらに、光トランシーバモジュールにＷＤＭフィルタモジュール機能を内蔵することにより、光送受信装置または光トランシーバモジュールの追加に伴う光ファイバの接続替えを行なう必要がなく、既存のサービスを中断しないで対応することができる。
【００４３】
（第６の実施形態）
図１０に、本発明の第６の実施形態にかかる光送受信装置に搭載された光トランシーバモジュールの構成を示す。光トランシーバモジュール１２１は、光トランシーバ機能とＷＤＭフィルタモジュール機能とを、１つの筐体に収めている。光トランシーバモジュール１２１は、波長λ１の光信号を送信する光送信器（ＬＤ）１２２と、波長λ２の光信号を受信する受信器（ＰＤ）１２３と、波長λ１の光信号及び波長λ２の光信号に加え、他の光送受信装置の光信号λ３…λｎの合分波を行なうＷＤＭ部１２４と、収容局に接続された１本の光ファイバ１２７と接続する共通用ポートの光コネクタ（雌型）１２５と、他の光送受信装置の入出力用ポートとして、波長毎に１本の光コネクタ付き単心コード１２６−１、１２６−２…１２６−ｎを備えている。
【００４４】
例えば、光ファイバ１２７を介して８波長の送受信を行う場合、光トランシーバモジュール１２１で２波長を使用するので、残りの６波長の光信号は、光コネクタ付き単心コード１２６−１、１２６−２…１２６−６を６本用意することで対応する。ＰＬＣ技術等を用いて、ＷＤＭフィルタモジュールの小型・高密度実装を行い、光トランシーバ機能とＷＤＭフィルタモジュール機能とを、１つの筐体に収めている。
【００４５】
第３及び第４の実施形態では、光トランシーバ機能とＷＤＭフィルタモジュール機能とが、光コネクタを介して接続される構成であった。第６の実施形態の光トランシーバモジュールは、１つの筐体に収めることにより、部品の共通化及び小型化を一層すすめることで、経済的でシンプルなＷＤＭ伝送システムを構築することができる。また、光コネクタの接続点を減らすことができるので、線路損失の増加を抑制することができる。さらに、光トランシーバモジュールにＷＤＭフィルタモジュール機能を内蔵することにより、光送受信装置または光トランシーバモジュールの追加に伴う光ファイバの接続替えを行なう必要がなく、既存のサービスを中断しないで対応することができる。
【００４６】
（第７の実施形態）
図１１に、本発明の第７の実施形態にかかる光送受信装置に搭載された光トランシーバモジュールの構成を示す。第７の実施形態は、プラガブル型光トランシーバモジュールという。第５の実施形態において示した光トランシーバモジュール１１１（図９を参照）に、挿抜可能なプラガブル構造を追加する。光送受信装置１３０に搭載された光トランシーバモジュール１３１は、波長λ１の光信号を送信する光送信器（ＬＤ）１３２と、波長λ２の光信号を受信する受信器（ＰＤ）１３３と、波長λ１の光信号及び波長λ２の光信号に加え、他の光送受信装置の光信号λ３…λｎの合分波を行なうＷＤＭ部１３４と、収容局に接続された１本の光ファイバ１３７と接続する共通用ポートの光コネクタ（雌型）１３５と、他の光送受信装置の入出力用ポートである光コネクタ（雌型）１３６とを有している。
【００４７】
さらに、光トランシーバモジュール１３１は、本光トランシーバモジュールを搭載する光送受信装置へ挿抜及び固定するための嵌合用電気コネクタの物理的なサイズを規定するとともに、本光トランシーバモジュールを搭載する光送受信装置へ主信号及び監視制御用の電気信号を送受信する電気的コネクタ１３８を有する。第７の実施形態によれば、ＷＤＭフィルタモジュール機能を内蔵した光トランシーバモジュールが光送受信装置へ挿抜可能なプラガブル型とすることにより、上述の実施形態に比較して、適用領域の拡大、汎用性の向上を図ることができる。
【００４８】
（第８の実施形態）
図１２に、本発明の第８の実施形態にかかる光送受信装置に搭載された光トランシーバモジュールの構成を示す。第７の実施形態は、プラガブル型光トランシーバモジュールという。第５の実施形態において示した光トランシーバモジュール１１１（図９を参照）に、挿抜可能なプラガブル構造を追加する。光送受信装置１３０に搭載された光トランシーバモジュール１３１は、波長λ１の光信号を送信する光送信器（ＬＤ）１３２と、波長λ２の光信号を受信する受信器（ＰＤ）１３３と、波長λ１の光信号及び波長λ２の光信号に加え、他の光送受信装置の光信号λ３…λｎの合分波を行なうＷＤＭ部１３４と、収容局に接続された１本の光ファイバ１３７と接続する共通用ポートの光コネクタ（雌型）１３５と、他の光送受信装置の入出力用ポートとして、波長毎に１本の光コネクタ付き単心コード１４６−１、１４６−２…１４６−ｎを備えている。
【００４９】
さらに、光トランシーバモジュール１３１は、本光トランシーバモジュールを搭載する光送受信装置へ挿抜及び固定するための嵌合用電気コネクタの物理的なサイズを規定するとともに、本光トランシーバモジュールを搭載する光送受信装置へ主信号及び監視制御用の電気信号を送受信する電気的コネクタ１３８を有する。第７の実施形態によれば、ＷＤＭフィルタモジュール機能を内蔵した光トランシーバモジュールが光送受信装置へ挿抜可能なプラガブル型とすることにより、上述の実施形態に比較して、適用領域の拡大、汎用性の向上を図ることができる。
【００５０】
（第９の実施形態）
図１３に、本発明の第９の実施形態にかかるＷＤＭ伝送システムの構成を示す。第１及び第２の実施形態において示した光送受信装置５０（図５を参照）を、カスケード（バス）接続した構成を示す。光送受信装置５０−１、５０−２…５０−ｎとＷＤＭフィルタモジュール５６−１、５６−２…５６−ｎとがそれぞれ接続されている。ＷＤＭフィルタモジュール５６−１の共通用ポートには、収容局に接続された１本の光ファイバ５７を接続し、もう一方のポートには、ＷＤＭフィルタモジュール５６−２の共通用ポートを接続する。このようにして、順次ＷＤＭフィルタモジュールを縦続接続する。
【００５１】
第９の実施形態によれば、光送受信装置が追加される毎にＷＤＭフィルタモジュールを追加することにより、スケーラブルに光送受信装置の増設が可能となり、運用性の向上を図ることができる。また、予め次の光送受信装置を接続するためのＷＤＭフィルタモジュールを具備することにより、光送受信装置の増設の際に、既存のサービスを中断しないで対応することができる。
【００５２】
（第１０の実施形態）
図１４に、本発明の第１０の実施形態にかかるＷＤＭ伝送システムの構成を示す。第５の実施形態において示した光トランシーバモジュール１１１−１、１１１−２…１１１−ｎ（図９を参照）を、カスケード（バス）接続した構成を示す。光トランシーバモジュール１１１−１の共通用ポートには、収容局に接続された１本の光ファイバ１１７を接続し、もう一方のポートには、光トランシーバモジュール１１１−２の共通用ポートを接続する。このようにして、順次光トランシーバモジュールを縦続接続する。
【００５３】
第１０の実施形態によれば、スケーラブルに光トランシーバモジュールの増設が可能となり、運用性の向上を図ることができる。また、予め次の光トランシーバモジュールを接続するためのＷＤＭフィルタモジュールを具備することにより、光トランシーバモジュールの増設の際に、既存のサービスを中断しないで対応することができる。
【００５４】
（第１１の実施形態）
図１５に、本発明の第１１の実施形態にかかるＷＤＭ伝送システムの構成を示す。第７の実施形態において示したプラガブル型光トランシーバモジュールをカスケード（バス）接続した構成を示す。光トランシーバモジュール１３１−１の共通用ポートには、収容局に接続された１本の光ファイバ１３７を接続し、もう一方のポートには、光トランシーバモジュール１３１−２の共通用ポートを接続する。このようにして、順次光トランシーバモジュールを縦続接続する。
【００５５】
第１１の実施形態によれば、スケーラブルに光トランシーバモジュールの増設が可能となり、運用性の向上を図ることができる。また、予め次の光トランシーバモジュールを接続するためのＷＤＭフィルタモジュールを具備することにより、光送受信装置の増設の際に、既存のサービスを中断しないで対応することができる。
【産業上の利用可能性】
【００５６】
本発明にかかるＷＤＭフィルタモジュール及び光トランシーバモジュールを適用することにより、経済的でシンプルなＷＤＭ伝送システムなどの光波長多重ネットワークを構成することが可能となる。
【図面の簡単な説明】
【００５７】
【図１】従来の１本の光ファイバで双方向伝送を行う光送受信装置を適用したＷＤＭ伝送システムの構成を示すブロック図である。
【図２】従来の２本の光ファイバでそれぞれ片方向伝送を行う光送受信装置を適用したＷＤＭ伝送システムの構成を示すブロック図である。
【図３】従来の１本の光ファイバで双方向伝送を行う光送受信装置を適用したＷＤＭ−ＰＯＮシステムの構成を示すブロック図である。
【図４】従来の２本の光ファイバで双方向伝送を行う光送受信装置を適用したＷＤＭ−ＰＯＮシステムの構成を示すブロック図である。
【図５】本発明の第１の実施形態にかかる１本の光ファイバで双方向伝送を行う光送受信装置を適用した光送受信装置の構成を示すブロック図である。
【図６】本発明の第２の実施形態にかかる２本の光ファイバで双方向伝送を行う光送受信装置を適用した光送受信装置の構成を示すブロック図である。
【図７】本発明の第３の実施形態にかかる１本の光ファイバで双方向伝送を行う光送受信装置を適用した光送受信装置の構成を示すブロック図である。
【図８】本発明の第４の実施形態にかかる２本の光ファイバで双方向伝送を行う光送受信装置を適用した光送受信装置の構成を示すブロック図である。
【図９】本発明の第５の実施形態にかかる光送受信装置の構成を示すブロック図である。
【図１０】本発明の第６の実施形態にかかる光送受信装置の構成を示すブロック図である。
【図１１】本発明の第７の実施形態にかかる光送受信装置の構成を示すブロック図である。
【図１２】本発明の第８の実施形態にかかる光送受信装置の構成を示すブロック図である。
【図１３】本発明の第９の実施形態にかかるＷＤＭ伝送システムの構成を示すブロック図である。
【図１４】本発明の第１０の実施形態にかかるＷＤＭ伝送システムの構成を示すブロック図である。
【図１５】本発明の第１１の実施形態にかかるＷＤＭ伝送システムの構成を示すブロック図である。
【符号の説明】
【００５８】
５０，７０，９０，１００  光送受信装置
５１−１、５１−２…５１−ｎ  光送受信装置
５２，７２，１１２，１２２，１３２，  光送信器（ＬＤ）
５３，７３，１１３，１２３  受信器（ＰＤ）
５４  光カプラ（ＯＣ）
５５，６３，６４，７４，７５，８４，８５，９３，１０４，１１５，１１６，１２５，１３５，１３６，  光コネクタ（雌型）
５６，７６，９６，１０６  ＷＤＭフィルタモジュール
５７，７７，９７，１０７，１１７，１２７，１３７  光ファイバ
６１，８１，９１，１０１，１０２  光コネクタ（雄型）
６２，８３，９２，１０３，１１４，１２４，１３４  ＷＤＭ部
９４−１、９４−２…９４−ｎ，１０５−１、１０５−２…１０５−ｎ，１２６−１、１２６−２…１２６−ｎ  光コネクタ付き単心コード
１１１，１２１，１３１  光トランシーバモジュール
【図１】
2005078036.tif 000003
【図２】
2005078036.tif 000004
【図３】
2005078036.tif 000005
【図４】
2005078036.tif 000006
【図５】
2005078036.tif 000007
【図６】
2005078036.tif 000008
【図７】
2005078036.tif 000009
【図８】
2005078036.tif 000010
【図９】
2005078036.tif 000011
【図１０】
2005078036.tif 000012
【図１１】
2005078036.tif 000013
【図１２】
2005078036.tif 000014
【図１３】
2005078036.tif 000015
【図１４】
2005078036.tif 000016
【図１５】
2005078036.tif 000017